(57)【特許請求の範囲】
【請求項１】
平面を備えた平板部、及びこの平板部から一体的に突出するとともに電線を接続するように構成した電線側接続部を有する圧縮端子で構成した電線側端子と、
電気機器の端子に取り付ける機器側接続部、及びこの機器側接続部から一体的に突出するとともに前記平面に当接する他の平面であって、前記機器側接続部の取付面に対して直交している平面を備えた平板部を有する接続アダプタとを備え、
前記電線側端子の平板部の面と前記接続アダプタの平板部の面とを当接させた状態で前記電線側端子の前記接続アダプタに対する取付角度を調整可能に締結部材を用いて前記接続アダプタに固定し得るように構成し、
前記電線側端子の前記平面部及び前記接続アダプタの前記平面部は、前記各平面上に環状に分散させて設けた複数個の貫通孔である取付孔をそれぞれ有しており、前記両平面部同士で位置合わせされる取付孔を選択することで前記電線側端子の前記接続アダプタに対する取付角度を調整するとともに、前記締結部材はボルト及びナットで構成し、対応する前記各取付孔を貫通するボルトとこれに螺合するナットで前記平面部同士を締結するように構成したものであることを特徴とする電線と電気機器との接続端子。
【発明の詳細な説明】
【技術分野】
【０００１】
本発明は電線と電気機器との接続端子に関し、特に圧縮端子を介して電線と遮断器等の電力機器とを接続する場合に適用して有用なものである。
【背景技術】
【０００２】
電線と遮断器等の電力機器との接続には圧縮端子が汎用されている。ここで、圧縮端子は、図３に示すように、一端に開口を有する円筒部０１とこの円筒部０１に一体的に連続する平板部０２とを有しており、開口端０１ａを介して接続する電線（図示せず）の先端部を円筒部０１に挿入するとともに、かかる状態で円筒部０１を圧縮して圧着する。このように電線を円筒部０１に圧着した状態でその平板部０２を電力機器の端子（図示せず）に固定して取り付ける。この取り付けは、平板部０２に形成した貫通孔である取付孔０２ａを前記端子のボルトに挿入するとともに前記ボルトに螺合するナットを締め付けることにより行う。
【０００３】
なお、この種の接続に圧縮端子を利用した技術を開示する公知文献として特許文献１を挙げることができる。
【先行技術文献】
【特許文献】
【０００４】
【特許文献１】特開２００１−３４６３２３号公報
【発明の概要】
【発明が解決しようとする課題】
【０００５】
しかしながら、上述の如き圧縮端子を利用した従来技術に係る接続方法では、圧縮端子を電力機器の端子に取り付けた時点で端子に対する取付角度は決定されてしまう。したがって、その後に取付角度を変更する場合には端子に取り付けてある圧縮端子を取り外し、電線を切断することにより圧縮端子から切り離すことにより最初から当該取付作業をやり直す必要がある。
【０００６】
ちなみに、汎用規格品としての圧縮端子は０度、４５度、９０度の３種類が用意されているため、かかる３種類の圧縮端子を事前に用意しておけば現場での取り付けに際し、任意の角度のものを選択することもできるが、かかる事前準備は面倒である。さらに、適切だと判断して所定角度の圧縮端子を選択して取り付けても、事後的に取付角度を変更したい場合がある。この場合にも、上述の如き取り付け作業のやり直しが必要になる。
【０００７】
本発明は、上記従来技術に鑑み、電気機器の端子に対する取り付け角度を容易に変更し得る電線と電気機器との接続端子を提供することを目的とする。
【課題を解決するための手段】
【０００８】
上記目的を達成するための本発明の第１の態様は、
平面を備えた平板部、及びこの平板部から一体的に突出するとともに電線を接続するように構成した電線側接続部を有する電線側端子と、
電気機器の端子に取り付ける機器側接続部、及びこの機器側接続部から一体的に突出するとともに前記平面に当接する他の平面を備えた平板部を有する接続アダプタとを備え、
前記電線側端子の平板部の面と前記接続アダプタの平板部の面とを当接させた状態で前記電線側端子の前記接続アダプタに対する取付角度を調整可能に締結部材を用いて前記接続アダプタに固定し得るように構成したことを特徴とする電線と電気機器との接続端子にある。
【０００９】
本発明の第２の態様は、
上記第１の態様に記載する電線と電気機器との接続端子において、
前記接続アダプタの前記他の平面は、前記機器側接続部の取付面に対して平行であることを特徴とする電線と電気機器との接続端子にある。
【００１０】
本発明の第３の態様は、
上記第１の態様に記載する電線と電気機器との接続端子において、
前記接続アダプタの前記他の平面は、前記機器側接続部の取付面に対して直交していることを特徴とする電線と電気機器との接続端子にある。
【００１１】
本発明の第４の態様は、
上記第１又は第２の態様に記載する電線と電気機器との接続端子において、
前記電線側端子は圧縮端子で構成したことを特徴とする電線と電気機器との接続端子にある。
【００１２】
本発明の第５の態様は、
上記第１乃至第３の態様の何れか一つに記載する電線と電気機器との接続端子において、
前記電線側端子の前記平面部及び前記接続アダプタの前記平面部は、前記各平面上に環状に分散させて設けた複数個の貫通孔である取付孔をそれぞれ有しており、前記両平面部同士で位置合わせされる取付孔を選択することで前記電線側端子の前記接続アダプタに対する取付角度を調整するとともに、
前記締結部材はボルト及びナットで構成し、対応する前記各取付孔を貫通するボルトとこれに螺合するナットで前記平面部同士を締結するように構成したものであることを特徴とする電線と電気機器との接続端子にある。
【発明の効果】
【００１３】
本発明によれば電線側端子の接続アダプタに対する取り付けの際、その平板部を介した接続アダプタの平板部に対する固定角度を所定の角度に調整して固定することで電気機器の端子に対する電線の取付角度を任意に且つ容易に調整することができる。
【図面の簡単な説明】
【００１４】
【図１】本発明の第１の実施の形態に係る電線と電力機器との接続端子を示す図で、（ａ）は平面図、（ｂ）はその側面図である。
【図２】本発明の第２の実施の形態に係る電線と電力機器との接続端子を示す図で、（ａ）は平面図、（ｂ）はその側面図である。
【図３】従来技術に係る圧縮端子を示す斜視図である。
【発明を実施するための形態】
【００１５】
以下本発明の実施の形態を図面に基づき詳細に説明する。
【００１６】
＜第１の実施の形態＞
図１は本形態に係る電線と電力機器との接続端子を示す図で、（ａ）は平面図、（ｂ）はその側面図である。両図に示すように、電線側端子１は、平面を備えた円板状の平板部２とこの平板部２から一体的に突出するとともに電線（図示せず）を接続するように構成した電線側接続部３とを有する圧縮端子として構成してある。すなわち、電線側接続部３はスリーブ状の円筒部となっており、その開口端３ａを介して接続する電線（図示せず）の先端部を挿入するとともに、かかる状態で電線側接続部３を圧縮して圧着する。また、平板部２にはその周囲に環状に分散させて複数個（図では８個）の貫通孔である取付孔２ａが設けてある。
【００１７】
接続アダプタ４は、例えば遮断器等の電力機器の端子（図示せず）に取り付ける機器側接続部５及びこの機器側接続部５から一体的に突出するとともに平板部２の表面に当接する平面を備えた同形の円板状の平板部６を有する。この平板部６の面は機器側接続部５の面に対して平行となっている。さらに、機器側接続部５は、４個の貫通孔である取付孔５ａを有しており、この取付孔５ａを貫通する電力機器側の端子に取り付けたボルト（図示せず）にナットで締結・固定するようになっている。
【００１８】
一方、接続アダプタ４の平板部６にはその周囲に環状に分散させて複数個（図では８個）の貫通孔である取付孔６ａが取付孔２ａに位置的に対応させて設けてある。かくして、接続アダプタ４の平板部６の表面に電線側端子１の平板部２を当接させた状態で平板部６の任意の取付孔６ａに平板部２の取付孔２ａの位置を合わせることにより接続アダプタ４に対する電線側端子１の取付角度を任意に調整し得る。
【００１９】
すなわち、図１（ａ）に示すように、中心線Ｌ１に沿って電線側端子１及び接続アダプタ４が並んでいる状態を基準位置（取付角０度）とすると、電線側端子１を時計方向乃至反時計方向に回動して隣接する取付孔２ａの位置を、基準位置にある接続アダプタ４の取付孔６ａの位置に合致させることで電線側端子１の取付角度を容易に変更することができる。かかる取付角度の調整後、取付孔２ａ，６ａのうち少なくとも２組をそれぞれ貫通する締結部材で両平板部２，６を締結する。この場合の両平板部２，６の締結部材としては少なくとも２組のボルト、ナットが最適である。
【００２０】
かかる本形態によれば、８個の取付孔２ａ，６ａを環状に等間隔に設けたので電線側端子１の取付角度を４５度づつ変更することができる。ここで、本形態における取付角度の変更は水平面内における取付角度の変更を意味する。上述の如く接続アダプタ４における取付面を構成する機器側接続部５と平板部６とが平行になるように構成してあるからである。
【００２１】
＜第２の実施の形態＞
図２は本形態に係る電線と電力機器との接続端子を示す図で、（ａ）は平面図、（ｂ）はその側面図である。両図に示すように、本形態も前記第１の実施の形態と同様に、電線側端子１と接続アダプタ１４とを有する。ここで、電線側端子１は、第１の実施の形態のものと全く同一である。すなわち、平面を備えた円板状の平板部２とこの平板部２から一体的に突出するとともに電線を接続するように構成した電線側接続部３とを有する圧縮端子として構成してあり、平板部２の周囲には環状に分散させて複数個（図では８個）の貫通孔である取付孔２ａが設けてある。
【００２２】
一方、接続アダプタ１４の構造は異なる。すなわち、本形態における接続アダプタ１４は、第１の実施の形態と同様に、例えば遮断器等の電力機器の端子（図示せず）に取り付ける機器側接続部１５及びこの機器側接続部１５から一体的に突出するとともに平板部２の表面に当接する平面を備えた同形の円板状の平板部１６を有するものであるが、平板部１６の面が電力機器に対する取付面を有する機器側接続部１５に対して直交する面となっている点が異なる。
【００２３】
なお、機器側接続部１５は、４個の貫通孔である取付孔１５ａを有しており、この取付孔１５ａを貫通する電力機器側の端子に取り付けたボルト（図示せず）に、ナットで締結・固定するようになっている。
【００２４】
本形態における平板部１６にも、その周囲に環状に分散させて複数個（図では８個）の貫通孔である取付孔１６ａが取付孔２ａに位置的に対応させて設けてある。かくして、第１の実施の形態の場合と同様に、接続アダプタ１４の平板部１６の表面に電線側端子１の平板部２を当接させた状態で平板部１６の任意の取付孔１６ａに平板部２の取付孔２ａの位置を合わせることにより接続アダプタ１４に対する電線側端子１の取付角度を任意に調整し得る。
【００２５】
すなわち、図２（ａ）に示すように、中心線Ｌ２に沿って電線側端子１及び接続アダプタ１４が並んでいる状態を基準位置（取付角０度）とすると、電線側端子１を時計方向乃至反時計方向に回動して隣接する取付孔２ａの位置を、基準位置にある接続アダプタ１４の取付孔１６ａの位置に合致させることで電線側端子１１の取付角度を容易に変更することができる。かかる取付角度の調整後、少なくとも２組の取付孔２ａ，１６ａをそれぞれ貫通する締結部材で両平板部２，１６を締結する。この場合の両平板部２，１６の締結部材としては第１の実施の形態と同様に、ボルト、ナットが最適である。
【００２６】
かかる本形態においても、８個の取付孔２ａ，１６ａを環状に等間隔に設けたので電線側端子１の取付角度を４５度づつ変更することができる。ここで、本形態における取付角度の変更は垂直面内における取付角度の変更を意味する。上述の如く接続アダプタ４における取付面を構成する機器側接続部５と平板部１６とが垂直になるように構成してあるからである。
【００２７】
＜他の実施の形態＞
上記第１及び第２の実施の形態では取付孔（２ａ，６ａ）乃至（２ａ，１６ａ）を貫通する少なくとも２組の締結部材で電線側端子１及び接続アダプタ４,１４を締結する様に構成したが、十分な締付力が得られれば１組でも勿論構わない。このとき、一方の平板部２乃至（６，１６）の何れか一方の取付孔２ａ乃至（６ａ、１６ａ）の代わりに凸部を設けるとともに、他方の取付孔（６ａ、１６ａ）乃至２ａの代わりに前記各凸部に対応する凹部を設けておき、凸部を凹部に嵌め込むように構成すれば所定の取付角度を保持するための位置規制を行うことができる。
【００２８】
また、上記第１及び第２の実施の形態では電線側端子１は圧縮端子で構成したが、これに限定するものでもない。接続アダプタ４，１４の平板部６，１６の平面と当接する平面を有する平板部とこの平板部と一体的に構成されて電線を接続し得るように構成してある電線接続部を有するものであればそれ以上の特別な制限はない。
【産業上の利用可能性】
【００２９】
本発明は電力設備の保守・点検を行う産業分野で利用することができる。
【符号の説明】
【００３０】
１                        電線側端子
２、６、１６              平板部
２ａ、６ａ、１６ａ        取付孔
３                        電線側接続部
４、１４                  接続アダプタ
５、１５                  機器側接続部
【図１】
0005236091.tif 000002
【図２】
0005236091.tif 000003
【図３】
0005236091.tif 000004